(57)【要約】【課題】製造工程を簡略化しながらも、歩留まり率を低下させることなく、複数の電極間に配置された配線による視認性低下を回避する。【解決手段】情報を表示するための表示電極１１ａ，１１ｄ間に配置された配線１２ｅのベース基材１３上における形成高さを、表示電極１１ａ，１１ｄのベース基材１３上における形成高さよりも低くし、配線１２ｅと情報表示層との間隔を、表示電極１１ａ〜１１ｉと情報表示層との間隔よりも広くする。【選択図】図１
2011150066.tif 000002
【特許請求の範囲】
【請求項１】
ベース基材上に形成された第１の電極層と、前記第１の電極層の前記ベース基材とは反対側に対向配置された第２の電極層と、前記第１の電極層と前記第２の電極層との間に挟み込まれた情報表示層とを有し、前記第１の電極層が複数の電極からなり、前記複数の電極に第１及び第２の電圧のいずれか一方を選択的に印加することにより、前記情報表示層を一方の面側から見た場合に、前記情報表示層の前記第１の電圧が印加された電極に対向する領域と前記情報表示層の前記第２の電圧が印加された電極に対向する領域とで互いに異なる色を表示する情報表示装置において、
前記複数の電極のうち互いに隣接する２つの電極間にて前記ベース基材上に形成された配線を有し、
前記配線は、前記ベース基材上における形成高さが、前記２つの電極の前記ベース基材上における形成高さよりも低いことを特徴とする情報表示装置。
【発明の詳細な説明】
【技術分野】
【０００１】
本発明は、対向配置された２つの電極層間に挟み込まれた情報表示層において電極層に印加される電圧に基づいて情報を表示する情報表示装置に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある。このような薄型の情報表示装置は、紙のように薄いために携帯がしやすいとともに、消費電力が少なく、また視野角が広く、さらには、電極に印加する電圧によって表示される情報を書き換えることができるとともに、電源を切断した場合でも表示内容を保持できることから、今後のさらなる普及が予想される。
【０００４】
図５は、一般的な電気泳動ディスプレイの積層構造を示す図であり、（ａ）は全体の積層構造を示す図、（ｂ）は（ａ）に示したＡ部拡大図である。
【０００５】
一般的な電気泳動ディスプレイは図５（ａ）に示すように、ガラスや透明フィルム等からなる透明基板１２２の一方の面に透明電極（例えば、ＩＴＯ：Indium Tin Oxide）１２１が形成されてなる透明導電膜基板１２０と、ベース基材１１３上に積層された絶縁層１１５との間に情報表示層１３０が挟み込まれて構成されている。
【０００６】
絶縁層１１５の情報表示層１３０に対向する面には、情報表示層１３０を用いて情報を表示するための複数の表示電極１１１が形成されており、また、絶縁層１１５の情報表示層１３０とは反対側の面には、表示電極１１１に電圧を印加するための配線１１２が形成されており、複数の表示電極１１１は、絶縁層１１５に形成された導通部１１４を介して配線１１２に接続されている。
【０００７】
情報表示層１３０は、図５（ｂ）に示すように、隔壁１３１とシール層１３４とで囲まれた領域に、帯電性粒子１３３が分散した隔壁内液体１３２が収容されて構成されている。隔壁１３１は、底部と、情報表示層１３０の外周部となる側部と、側部で囲まれた領域を複数の領域に区画するための壁部とからなり、底部とは反対側の面が開口した形状となっている。そして、底部側がベース基材１１３に対向するように積層されており、開口した側にシール層１３４が積層されている。
【０００８】
上記のように構成された電気泳動ディスプレイにおいては、表示電極１１１に選択的に電圧が印加されると、隔壁内液体１３２内にて帯電性粒子１３３がクーロン力で移動し、表示電極１１１と透明電極１２１のいずれか一方の側に引き寄せられる。そして、隔壁内液体１３２が染料または顔料で着色されており、帯電性粒子１３３が高屈折率の光散乱成分を含むため、透明導電膜基板１２０側から見た場合、表示電極１１１側に帯電性粒子１３３が引き寄せられた領域が着色された状態に見え、また、透明電極１２１側に帯電性粒子１３３が引き寄せられた領域が白色に見え、これら見える色の違いによって所望の情報が表現されることになる。
【０００９】
ここで、上述したような電気泳動ディスプレイにおいては、表示電極１１１と配線１１２とを接続するために絶縁層１１５に導通部１１４を形成する必要があるが、表示電極１１１に電圧を印加するための配線１１２を複数の表示電極１１１間に配置することにより、絶縁層１１５に導通部１１４を形成する必要がなくなり、そのための工程が不要となり、さらには、絶縁層１１５自体も不要となり、コストダウンを図ることができる。
【００１０】
ところが、複数の表示電極１１１間に配線１１２を配置した場合、表示電極１１１に配線１１２を介して選択的に電圧が印加されると、情報表示部１３０の配線１１２に対向する領域においても、上述したように隔壁内液体１３２内にて帯電性粒子１３３がクーロン力で移動し、透明導電膜基板１２０側から見た場合、配線１１２側に帯電性粒子１３３が引き寄せられた領域が着色された状態に見え、また、透明電極１２１側に帯電性粒子１３３が引き寄せられた領域が白色に見え、そのため、表示電極１１１によって表示される情報の視認性が低下してしまう。
【００１１】
そこで、情報表示層１３０のうち、表示電極１１１間に配置された配線１１２に対向する領域に印刷等によって隠蔽部を設け、それにより、表示電極１１１によって表示される情報の視認性の低下を回避する技術が考えられている（例えば、特許文献１参照。）。
【先行技術文献】
【特許文献】
【００１２】
【特許文献１】特許第３０９９０４８号公報
【発明の概要】
【発明が解決しようとする課題】
【００１３】
上述したように、情報表示層のうち表示電極間に配置された配線に対向する領域に印刷等によって隠蔽部を設けることにより、表示電極によって表示される情報の視認性の低下を回避するものにおいては、隠蔽部と配線との位置合わせを行う必要があるが、表示電極間のギャップやその領域に配置される配線の太さがかなり細いものであるため、その位置合わせが困難となり、歩留まり率の面から好ましくないという問題点がある。
【００１４】
本発明は、上述したような従来の技術が有する問題点に鑑みてなされたものであって、製造工程を簡略化しながらも、歩留まり率を低下させることなく、複数の電極間に配置された配線による視認性低下を回避することができる情報表示装置を提供することを目的とする。
【課題を解決するための手段】
【００１５】
上記目的を達成するために本発明は、
ベース基材上に形成された第１の電極層と、前記第１の電極層の前記ベース基材とは反対側に対向配置された第２の電極層と、前記第１の電極層と前記第２の電極層との間に挟み込まれた情報表示層とを有し、前記第１の電極層が複数の電極からなり、前記複数の電極に第１及び第２の電圧のいずれか一方を選択的に印加することにより、前記情報表示層を一方の面側から見た場合に、前記情報表示層の前記第１の電圧が印加された電極に対向する領域と前記情報表示層の前記第２の電圧が印加された電極に対向する領域とで互いに異なる色を表示する情報表示装置において、
前記複数の電極のうち互いに隣接する２つの電極間にて前記ベース基材上に形成された配線を有し、
前記配線は、前記ベース基材上における形成高さが、前記２つの電極の前記ベース基材上における形成高さよりも低いことを特徴とする。
【００１６】
上記のように構成された本発明においては、ベース基材上に形成された第１の電極層を構成する複数の電極に第１及び第２の電圧のいずれか一方が選択的に印加されると、情報表示層を一方の面側から見た場合に、情報表示層の第１の電圧が印加された電極に対向する領域と情報表示層の第２の電圧が印加された電極に対向する領域とで互いに異なる色が表示されるが、この際、複数の電極のうち互いに隣接する２つの電極間には、ベース基材上に形成された配線が配置されているため、この配線に対向する領域においてもその配線に印加される電圧に応じて、電極に対向する領域と同様の色が表示されることになる。ここで、２つの電極間に形成された配線は、ベース基材上における形成高さが２つの電極のベース基材上における形成高さよりも低くなっているため、配線の両側の２つの電極が土手のように作用し、配線と情報表示層との間隔が、第１の電極層を構成する複数の電極と情報表示層との間隔よりも広くなる。それにより、情報表示層の配線に対向する領域においては、配線に印加された電圧の影響が小さくなり、配線に印加される電圧に応じた色が表示されにくくなる。そのため、情報表示層の配線に対向する領域においては、配線に電圧が印加された場合であってもその電圧による色の変化が小さく、それにより、複数の電極間に配置された配線による視認性低下が回避されることになる。
【発明の効果】
【００１７】
以上説明したように本発明においては、情報表示層を用いて情報を表示するために第１及び第２の電圧のいずれか一方が選択的に印加される複数の電極間に配置された配線のベース基材上における形成高さが、その配線の両側の電極のベース基材上における形成高さよりも低い構成としたため、配線の両側の電極が土手のように作用し、配線と情報表示層との間隔が、第１の電極層を構成する複数の電極と情報表示層との間隔よりも広くなり、それにより、情報表示層の配線に対向する領域においては、配線に印加された電圧の影響が小さくなって配線に印加される電圧に応じた色が表示されにくくなる。このように、情報表示層を用いて情報を表示するための複数の電極間に配置された配線のベース基材上における形成高さを、その配線の両側の電極のベース基材上における形成高さよりも低くするだけで、情報表示層の配線に対向する領域において配線に印加される電圧に応じた色が表示されにくくなるので、製造工程を簡略化しながらも、歩留まり率を低下させることなく、複数の電極間に配置された配線による視認性低下を回避することができる。
【図面の簡単な説明】
【００１８】
【図１】本発明の情報表示装置に用いられる表示装置用電極基板の実施の一形態を示す図であり、（ａ）は表面から見た図、（ｂ）は（ａ）に示したＡ−Ａ’断面図である。
【図２】図１に示した表示装置用電極基板を用いた情報表示装置の実施の一形態となる電気泳動ディスプレイの構成を示す図である。
【図３】図２に示した電気泳動ディスプレイにて“０”を表示させる際の動作を説明するための図である。
【図４】図２に示した電気泳動ディスプレイにおける情報の見え方を説明するための図である。
【図５】一般的な電気泳動ディスプレイの積層構造を示す図であり、（ａ）は全体の積層構造を示す図、（ｂ）は（ａ）に示したＡ部拡大図である。
【発明を実施するための形態】
【００１９】
以下に、本発明の実施の形態について図面を参照して説明する。
【００２０】
図１は、本発明の情報表示装置に用いられる表示装置用電極基板の実施の一形態を示す図であり、（ａ）は表面から見た図、（ｂ）は（ａ）に示したＡ−Ａ’断面図である。
【００２１】
本形態における表示装置用電極基板は図１に示すように、ＰＥＴ等からなるベース基材１３の一方の面に、第１の電極層を構成する複数の表示電極１１ａ〜１１ｉと、表示電極１１ａ〜１１ｉに電圧を印加するための複数の配線１２ａ〜１２ｉとが形成されて構成されている。
【００２２】
表示電極１１ａ〜１１ｉは、ベース基材１３の一方の面上に、表示される情報に応じたパターンで形成されている。本形態は、この表示電極１１ａ〜１１ｉを用いて数字を表示するものであって、表示電極１１ａ〜１１ｉによって９つのセグメントからなる表示部を構成し、ベース基材１３上に形成された配線１２ａ〜１２ｉを介して、この表示電極１１ａ〜１１ｉに対して選択的に電圧が印加され、“０”〜“９”までの数字を表示することができる。
【００２３】
また、表示電極１１ａ〜１１ｉに電圧を印加するための複数の配線１２ａ〜１２ｉは、その一端がそれぞれ表示電極１１ａ〜１１ｉに接続され、そこから９つのセグメントからなる表示部の外部に引き出され、他端が、表示電極１１ａ〜１１ｉに選択的に電圧を印加するための回路（不図示）に接続されている。ここで、表示電極１１ａ〜１１ｄ，１１ｆ〜１１ｉに電圧を印加するための配線１２ａ〜１２ｄ，１２ｆ〜１２ｉは、表示電極１１ａ〜１１ｄ，１１ｆ〜１１ｉの外側に他の表示電極が存在しないことから、表示電極１１ａ〜１１ｄ，１１ｆ〜１１ｉに接続された一端からそのまま表示部の外部に引き出されているが、表示電極１１ｅに電圧を印加するための配線１２ｅは、表示電極１１ｅが他の表示電極１１ａ〜１１ｄ，１１ｆ〜１１ｉに囲まれて配置されているため、表示電極１１ｅに接続された一端から、互いに隣接する２つの表示電極１１ａ，１１ｄ間を通って表示部の外部に引き出されている。また、表示電極１１ａ〜１１ｉ及び配線１２ａ〜１２ｉは、上述したようにベース基材１３の同一面に形成されているが、配線１２ａ〜１２ｉのベース基材１３上における形成高さが、表示電極１１ａ〜１１ｉのベース基材１３上における形成高さよりも低くなっている。
【００２４】
上記のように構成された表示装置用電極基板１０においては、ベース基材１３上に印刷を施すことによって表示電極１１ａ〜１１ｉ及び配線１２ａ〜１２ｉを形成することができる。例えば、ベース基材１３上に、銀ペーストやカーボンペースト等の導電ペーストや導電インキを用いてスクリーン印刷によって表示電極１１ａ〜１１ｉ及び配線１２ａ〜１２ｉを印刷することが考えられる。このようにスクリーン印刷によって表示電極１１ａ〜１１ｉ及び配線１２ａ〜１２ｉを形成した場合、配線１２ａ〜１２ｉの幅が狭いことから、表示電極１１ａ〜１１ｉが形成される領域における導電ペーストや導電インキの塗布量と、配線１２ａ〜１２ｉが形成される領域における導電ペーストや導電インキの塗布量とを互いに異ならせる制御を行わなくても、配線１２ａ〜１２ｉのベース基材１３上における形成高さを、表示電極１１ａ〜１１ｉのベース基材１３上における形成高さよりも低くすることができる。その際、配線１２ａ〜１２ｉの幅は、３６〜４８μｍを下限値として設定することが好ましい。
【００２５】
以下に、上記のように構成された表示装置用電極基板１を用いた情報表示装置について説明する。
【００２６】
図２は、図１に示した表示装置用電極基板１を用いた情報表示装置の実施の一形態となる電気泳動ディスプレイの構成を示す図であり、図１に示した表示電極１１ａ，１１ｄ及び配線１２ｅ近傍における断面を示す図である。なお、図２においては、情報表示装置の詳細な構成を明確にするために図１に示した表示電極１１ａ，１１ｄ及び配線１２ｅ近傍における断面しか示していないが、図１に示した表示電極１１ａ，１１ｄ及び配線１２ｅ近傍以外の領域においても同様の積層構造を有している。
【００２７】
本形態は図２に示すように、図１に示した表示装置用電極基板１の表示電極１１ａ〜１１ｉ及び配線１２ａ〜１２ｉが形成された面上に、表示装置用電極基板１の表示電極１１ａ〜１１ｉに印加された電圧に応じて情報を表示する情報表示層３０及び透明導電膜基板２０が積層されて構成されている。透明導電膜基板２０は、ガラスや透明フィルム等からなる透明基板２２の一方の面に第２の電極層となる透明電極（例えば、ＩＴＯ）２１が形成されて構成されており、表示電極１１ａ〜１１ｉと透明電極２１とが対向配置し、これら表示電極１１ａ〜１１ｉと透明電極２１との間に情報表示層３０が挟み込まれている。透明基板２２の表面には、表示電極１１ａ〜１１ｉによる９つのセグメントからなる表示部の外部に対向する領域にマスク印刷（不図示）が施されており、それにより、表示電極１１ａ〜１１ｄ，１１ｆ〜１１ｉから引き出された配線１２ａ〜１２ｄ，１２ｆ〜１２ｉと、表示電極１１ｅから引き出された配線１２ｅのうち表示部の外部に配置された部分が透明基板２２側から視認されないようになっている。また、情報表示層３０は、隔壁３１とシール層３４とで囲まれた領域に、帯電性粒子３３が分散した隔壁内液体３２が収容されて構成されている。そして、これら表示装置用電極基板１０、情報表示層３０及び透明導電膜基板２０は、透明電極２１と表示電極１１ａ〜１１ｉとが、隔壁３１とシール層３４とで囲まれた領域に収容された隔壁内液体３２を介して対向するように積層されている。なお、隔壁３１は、底部と、情報表示層３０の外周部となる側部と、側部で囲まれた領域を、例えば１３０μｍ□で複数の領域に区画するための壁部とからなり、底部とは反対側の面が開口した形状となっている。そして、底部側が表示装置用電極基板１０に対向するように積層されており、開口した側にシール層３４が積層されている。
【００２８】
また、上述したように、表示装置用電極基板１０においては、配線１２ａ〜１２ｉのベース基材１３上における形成高さが、表示電極１１ａ〜１１ｉのベース基材１３上における形成高さよりも低くなっているため、表示装置用電極１０の表示電極１１ａ，１１ｄ及び配線１２ｅが形成された領域の近傍においては、表示電極１１ａ，１１ｄが情報表示層３０の隔壁３１の底部に当接しているものの、これら表示電極１１ａ，１１ｄが土手のように作用して配線１２ｅと情報表示層３０の隔壁３１とが当接しておらず、それにより、配線１２ｅと情報表示層３０との間隔が、表示電極１１ａ，１１ｄと情報表示層３０との間隔よりも広くなっている。
【００２９】
以下に、上記のように構成された電気泳動ディスプレイの動作について、図１に示した９つのセグメントを用いて“０”を表示する場合を例に挙げて説明する。
【００３０】
図３は、図２に示した電気泳動ディスプレイにて“０”を表示させる際の動作を説明するための図であり、（ａ）は表示電極１１ｅが形成された領域の近傍の断面を示す図、（ｂ）は表示電極１１ａ，１１ｄ及び配線１２ｅが形成された領域の近傍の断面を示す図である。
【００３１】
図２に示した電気泳動ディスプレイにて“０”を表示する場合、透明電極２１をＧＮＤ電位とし、また、ベース基材１３に形成された配線１２ａ〜１２ｉを介して、表示電極１１ａ〜１１ｄ，１１ｆ〜１１ｉにプラスの電圧を印加し、表示電極１１ｅにマイナスの電圧を印加する。
【００３２】
すると、隔壁３１及びシール層３４で囲まれた領域に収容された隔壁内液体３２が誘電性物質からなり、帯電性粒子３３がマイナス電位に帯電しているものであることから、帯電性粒子３３が隔壁内液体３２内をクーロン力で移動し、図３（ａ）に示すように、マイナスの電圧が印加された表示電極１１ｅが形成された領域においては帯電性粒子３３が透明電極２１側に引き寄せられる。また、同様に、プラスの電圧が印加された表示電極１１ａ〜１１ｄ，１１ｆ〜１１ｉが形成された領域においては、帯電性粒子３３が表示電極１１ａ〜１１ｄ，１１ｆ〜１１ｉ側に引き寄せられる。
【００３３】
そして、隔壁内液体３２が染料または顔料で着色されており、帯電性粒子３３が高屈折率の光散乱成分を含むため、この電気泳動ディスプレイを透明導電膜基板２０側から見た場合、表示電極１１ａ〜１１ｉ側に帯電性粒子３３が引き寄せられた領域、すなわち、表示電極１１ａ〜１１ｄ，１１ｆ〜１１ｉに対向する領域が着色された状態に見え、また、透明電極２１側に帯電性粒子３３が引き寄せられた領域、すなわち、表示電極１１ｅに対向する領域が白色に見え、それにより、表示電極１１ａ〜１１ｄ，１１ｆ〜１１ｉに対向する領域が着色された状態となった“０”が見えるようになる。なお、情報表示層３０のうち、表示電極１１ａ〜１１ｉに対向しない領域においては、帯電性粒子３３が隔壁内液体３２内に分散した状態となっており、それにより、電気泳動ディスプレイを透明導電膜基板２０側から見た場合、白色と着色された色との中間色に見えている。
【００３４】
ここで、表示電極１１ｅに対向する領域においては、表示電極１１ｅにマイナスの電圧が印加されることにより、図３（ａ）に示すように帯電性粒子３３が透明電極２１側に引き寄せられているが、表示電極１１ｅには配線１２ｅを介してマイナスの電圧が印加されているため、配線１２ｅにもマイナスの電圧が印加されている状態となっており、そのため、配線１２ｅのベース基材１３上における形成高さが表示電極１１ｅと同じ場合、配線１２ｅに対向する領域においても、帯電性粒子３３が透明電極２１側に引き寄せられ、透明導電膜基板２０側から見た場合に白色に見えることとなる。ところが、この配線１２ｅは、２つの表示電極１１ａ，１１ｄ間を通って表示部の外部に引き出されているため、“０”を表示する場合のように、これら２つの表示電極１１ａ，１１ｄに対向する領域が着色した状態に見える場合、その間の領域が白色に見えてしまうと、表示電極１１ａ〜１１ｄ，１１ｆ〜１１ｉに対向する領域が着色された状態となった“０”が見えるものの、その“０”の中の一部に配線１２ｅの形状による白色の線が見えてしまい、“０”の視認性が低下してしまう。
【００３５】
そこで、本形態においては、配線１２ａ〜１２ｉのベース基材１３上における形成高さが、表示電極１１ａ〜１１ｉのベース基材１３上における形成高さよりも低くなっている。そのため、図３（ｂ）に示すように、表示電極１１ａ，１１ｄ及び配線１２ｅが形成された領域の近傍においては、表示電極１１ａ，１１ｄが情報表示層３０の隔壁３１の底部に当接しているものの、これら表示電極１１ａ，１１ｄが土手のように作用して配線１２ｅと情報表示層３０の隔壁３１とが当接しておらず、それにより、配線１２ｅと情報表示層３０との間隔が、表示電極１１ａ，１１ｄと情報表示層３０との間隔よりも広くなっている。そして、帯電性粒子３３が、印加された電圧によって隔壁内液体３３内をクーロン力で移動するものであることから、配線１２ｅと情報表示層３０との間隔が広がることによって印加された電圧の影響が小さくなると、図３（ｂ）に示すように帯電性粒子３３の移動が少なくなり、それにより、情報表示層３０の配線１２ｅに対向する領域においては、電気泳動ディスプレイを透明導電膜基板２０側から見た場合、表示電極１１ａ〜１１ｉに対向しない領域と同様に、白色と着色された色との中間色に見えることになる。
【００３６】
図４は、図２に示した電気泳動ディスプレイにおける情報の見え方を説明するための図であり、（ａ）は表示電極１１ａ，１１ｄ及び配線１２ｅが形成された領域の近傍の見え方を示す図、（ｂ）は全体の見え方を示す図である。
【００３７】
上述したように、図２に示した電気泳動ディスプレイにおいて“０”を表示した場合、図４（ａ）に示すように、表示電極１１ａ，１１ｄ，１１ｇに対向する領域が着色した状態に見え、表示電極１１ｅに対向する領域が白色に見える。また、表示電極１１ａ〜１１ｉに対向しない領域においては、配線１２ｅに対向する領域も含めて、白色と着色された色との中間色に見えることになる。
【００３８】
これにより、この電気泳動ディスプレイを透明導電膜基板２０側から見た場合、表示電極１１ａ〜１１ｄ，１１ｆ〜１１ｉに対向する領域が着色された状態となるとともに、表示電極１１ｅに対向する領域が白色となった“０”が見えるようになる。そして、表示電極１１ａ〜１１ｉに対向しない領域においては、全ての領域において、白色と着色された色との中間色に見えることになり、表示された“０”の中に、“０”を表示するための白色や着色された色によって、表示とは無関係の線等が入ってしまうことがない。
【００３９】
このように本形態においては、情報を表示するための表示電極１１ａ，１１ｄ間に配置された配線１２ｅのベース基材１３上における形成高さが、表示電極１１ａ，１１ｄのベース基材１３上における形成高さよりも低くなっているため、配線１２ｅの両側の表示電極１１ａ，１１ｄが土手のように作用し、配線１２ｅと情報表示層３０との間隔が、表示電極１１ａ〜１１ｉと情報表示層３０との間隔よりも広くなり、それにより、情報表示層３０の配線１２ｅに対向する領域においては、配線１２ｅに印加された電圧の影響が小さくなって配線１２ｅに印加される電圧に応じた色が表示されにくくなる。これにより、セグメント表示のために近接して配置された電極間に配線が配置された場合であっても、製造工程を簡略化しながらも、歩留まり率を低下させることなく、複数の電極間に配置された配線による視認性低下を回避することができる。
【００４０】
なお、本形態においては、情報表示層３０の配線１２ｅに対向する領域が、透明導電膜基板２０側から見た場合に、白色と着色された色との中間色に見えるものを例に挙げて説明したが、この領域にて見える色は、白色と着色された色との厳密な中間色に限らない。これは、表示電極１１ａ〜１１ｉに印加する電圧の大きさや、配線１２ｅと情報表示層３０との間隔、または、情報表示層３０における帯電性粒子３３の移動特性によって決まるものである。
【００４１】
また、本形態においては、表示電極１１ａ，１１ｄが土手のように作用して配線１２ｅと情報表示層３０の隔壁３１とが当接しておらず、それにより、配線１２ｅと情報表示層３０との間隔が、表示電極１１ａ，１１ｄと情報表示層３０との間隔よりも広くなり、配線１２ｅにおいて、印加された電圧の影響が小さくなる場合について説明したが、配線１２ｅと情報表示層３０の隔壁３１とが当接しているものの、表示電極１１ａ，１１ｄが土手のように作用して配線１２ｅと情報表示層３０の隔壁３１との密着の程度が、表示電極１１ａ，１１ｄと情報表示層３０の隔壁３１との密着の程度よりも低い場合であっても、その密着の程度の違いによって、配線１２ｅにおいて印加された電圧の影響が小さくなれば、上記同様の作用が生じることになる。  また、本形態においては、表示電極１１ａ〜１１ｉに印加された電圧に応じて白色と着色された色とが表示されるものを例に挙げて説明したが、表示電極１１ａ〜１１ｉに印加された電圧に応じて表示される色は、互いに識別可能な２色であればこれらの色に限らない。
【００４２】
また、本形態においては、表示電極１１ａ〜１１ｉに電圧を印加するための配線１２ａ〜１２ｉのベース基材１３上における形成高さが、表示電極１１ａ〜１１ｉのベース基材１３上における形成高さよりも低くなっているものを例に挙げて説明したが、表示電極１１ａ〜１１ｉ間に配置され、ベース基材１３上における形成高さを、表示電極１１ａ〜１１ｉのベース基材１３上における形成高さよりも低くして上記同様の効果を生じさせる配線としては、表示電極１１ａ〜１１ｉに接続されたものに限らない。
【００４３】
また、本形態においては、情報表示層３０として、隔壁内液体３２に分散した帯電性粒子３３が、表示電極１１ａ〜１１ｉに対する電圧印加によって表示電極１１ａ〜１１ｉ側または透明電極２１側に移動して表示が切り替わる垂直型電気泳動方式の薄型表示部材を例に挙げて説明したが、情報表示層３０としては、表示電極によって電圧が印加されることにより情報を表示する情報表示層を有するものであれば、コレステリック液晶や電子粉粒タイプのもの等、適宜適用することができる。
【符号の説明】
【００４４】
１０    表示装置用電極基板
１１ａ〜１１ｉ    表示電極
１２ａ〜１２ｉ    配線
１３    ベース基材
２０    透明導電膜基板
２１    透明電極
２２    透明基板
３０    情報表示層
３１    隔壁
３２    隔壁内液体
３３    帯電性粒子
３４    シール層
【図１】
2011150066.tif 000003
【図２】
2011150066.tif 000004
【図３】
2011150066.tif 000005
【図４】
2011150066.tif 000006
【図５】
2011150066.tif 000007